(57)【要約】【課題】本発明の課題は、大腿部付け根周りないし股下部のフィット性を改善するとともに漏れ防止を図った吸収性物品を提供することにある。【解決手段】表面シート１と裏面シート２と両シートに挟まれた吸収体３を備え、前記吸収体３は、股下部において、物品幅方向中央に位置する中央部吸収体３ｃ、該中央部吸収体３ｃの両側に配した一対の側部吸収体３ａ、３ｂを有し、前記中央部吸収体３ｃと前記側部吸収体３ａ、３ｂとの間に離間部４を有し、前記一対の離間部４の物品長手方向両端部に前記吸収体３の一部が配され、前記中央部吸収体３ｃと前記側部吸収体３ａ、３ｂとの間に中間シート５が介在されている吸収性物品１０を提供する。【選択図】図１
2015066306.tif 000002
【特許請求の範囲】
【請求項１】
表面シートと裏面シートと両シートに挟まれた吸収体を備え、
前記吸収体は、股下部において、物品幅方向中央に位置する中央部吸収体、該中央部吸収体の両側に配した一対の側部吸収体を有し、
前記中央部吸収体と前記側部吸収体との間に離間部を有し、
前記一対の離間部の物品長手方向両端部に前記吸収体の一部が配され、
前記中央部吸収体と前記側部吸収体との間に中間シートが介在されている吸収性物品。
【請求項２】
物品厚み方向において、前記側部吸収体と前記裏面シートとの間に複数本の吸収体ギャザー弾性部材を有する請求項１に記載の吸収性物品。
【請求項３】
前記吸収体は前記側部吸収体を含む第１吸収体と前記中央部吸収体を含む第２吸収体とを有し、
前記離間部より物品長手方向の端部側において、前記第１吸収体と前記第２吸収体が厚み方向に重なっている請求項１または２に記載の吸収性物品。
【請求項４】
前記吸収体は、第１吸収体と第２吸収体とを有し、
前記第１吸収体は平面視中央部に開口部を有し、
前記開口部の物品幅方向両側が前記側部吸収体を構成し、
前記第２吸収体は前記中央部吸収体を構成している請求項１から３のいずれか１項に記載の吸収性物品。
【請求項５】
前記一対の側部吸収体は連続する前記中間シートにより挟持されており、物品幅方向で前記一対の側部吸収体の間に位置する前記中間シートは厚み方向に前記中央部吸収体の前記表面シート側に配される請求項１から４のいずれか１項に記載の吸収性物品。
【発明の詳細な説明】
【技術分野】
【０００１】
本発明は使い捨ておむつ等の吸収性物品に関する。
【背景技術】
【０００２】
使い捨ておむつは、人体に装着した際、寝返りや歩行等の動作時における排泄物の横漏れを防止するため、股下部におけるおむつのフィット性が重要になる。
特許文献１には、吸収体の左右両側に低剛性領域を設け、レッグ部弾性部材の中央部が、該低剛性領域を通るように配設することで、レッグフラップ吸収体を屈曲し易くし、装着者の脚部へのフィト性を高めることで、防漏性が発揮されやすくしたとする使い捨ておむつが記載されている。低剛性領域の形成方法としては、吸収体の一部を所定形状にくり抜く方法、吸収体の一部を他の部位よりも低坪量とする方法、薄くする方法、柔軟な材料により形成する方法等、が挙げられている。
本実施形態のおむつには、レッグフラップ吸収体における、低剛性領域の外側縁より外側に位置する部分のおむつ外表面側に、該レッグフラップ吸収体の長手方向に沿ってレッグフラップ弾性部材が配設され、吸収体の両側縁部に、該吸収体の両側縁に沿ってレッグフラップサイド弾性部材が配設されている。
【０００３】
特許文献２には、表面シートと裏面シートとの間に配設された吸収体が、少なくとも脚回り部にて長手方向に沿って幅方向中央部に設けられた孔部と、この孔部の幅方向両側に位置する一対の脚回り吸収体部とで形成されている吸収性物品が記載されている。また孔部に位置する表面シートと裏面シートとの少なくとも一部が接合されて、表面シートから裏面シート側へと凹状の凹み部が形成され、一対の脚回り吸収体部と裏面シートとの間に、長手方向に沿って第２弾性体が配設されている。
【０００４】
特許文献３には、表面シートと吸収性コアを有し、股下部における両側部が起立するように、弾性部材を備えた防漏カフが形成され、吸収性コアは、中央吸収体と、その長手方向一方部で連接され且つ中央吸収体の両側部に設けられた一対のサイド吸収体とを具備し、中央吸収体と一対のサイド吸収体との間にそれぞれ切離部を有し、切離部はそれぞれ該中央吸収体の少なくとも長手方向中央部の両側部に設けられ且つ長手方向他方部の両側部に開放され、サイド吸収体は、少なくとも股下部に配される使い捨ておむつが記載されている。
【０００５】
特許文献４には、上下２層の吸収ウエブ体が重ね合わせられることにより形成され、下層吸収ウエブ体は、上層吸収ウエブ体と同幅または狭幅に形成され、上層吸収ウエブ体には、下層吸収ウエブ体の配設位置に、下層吸収ウエブ体よりも小面積の開口部が少なくとも１つ配設されると共に、該開口部の周囲は、その他の部位に比べて高吸水性樹脂粉末の分散密度が高く設定されている使い捨て吸収性物品が記載されている。
【先行技術文献】
【特許文献】
【０００６】
【特許文献１】特開２００２−３６０６２９号公報
【特許文献２】特開２００７−１８５２４０号公報
【特許文献３】特開２００６−１４１７６１号公報
【特許文献４】特開２００３−０７０８４２号公報
【発明の開示】
【発明が解決しようとする課題】
【０００７】
上記特許文献１に記載された使い捨ておむつでは、中央部吸収体の左右両側に位置するレッグフラップ吸収体は低剛性領域で連続的につながっているため、レッグフラップ吸収体が配されているおむつ股下部における側部の可動性が十分ではなかった。また特許文献４に記載された使い捨ておむつでは、下層吸収ウエブ体の周部に上層吸収ウエブ体の一部が重なるように配され固定されているためているので、おむつ股下部における側部の可動性が十分ではなかった。このように側部の可動性が十分でないと、十分な追従性が得られないため、装着者の大腿部付け根周りにおける密着性、特に吸収体と装着者の肌との密着性が不十分になり、横漏れを起こす可能性があった。また、特許文献４に記載された使い捨ておむつでは、股下部分では幅が狭く、脚周りの吸収体を持つ構成でもなかった。さらに、吸収体側部にギャザーを設置しても下層吸収体の剛性によってサイド部の立ち上がりが低下し尿取りパッドのホールド性を阻害する結果となっていた。
さらに特許文献２に記載された使い捨て吸収性物品では、脚回り部にて長手方向に沿って幅方向中央部に孔部が設けられているため、中央部の液吸収性能が低下していた。
またさらに特許文献３に記載された使い捨ておむつでは、中央吸収体の少なくとも長手方向中央部の両側部のそれぞれに切離部が設けられ、この切離部が長手方向他方部の両側部に開放されていることから、この開放されている部分から液漏れする可能性があった。
【０００８】
本発明は、上記のような点に鑑みなされたもので、大腿部付け根周りないし股下部のフィット性を改善するとともに大腿部付け根周りからの漏れ防止を図った吸収性物品を提供することを課題とする。
【課題を解決するための手段】
【０００９】
本発明は、表面シートと裏面シートと両シートに挟まれた吸収体を備え、前記吸収体は、股下部において、物品幅方向中央に位置する中央部吸収体、該中央部吸収体の両側に配した一対の側部吸収体を有し、前記中央部吸収体と前記側部吸収体との間に離間部を有し、前記一対の離間部の物品長手方向両端部に前記吸収体の一部が配され、前記中央部吸収体と前記側部吸収体との間に中間シートが介在されている吸収性物品を提供するものである。
【発明の効果】
【００１０】
本発明の吸収性物品は、大腿部付け根周りないし股下部のフィット性を改善するとともに大腿部付け根周りからの漏れを確実に防止できるという優れた効果を奏する。
【図面の簡単な説明】
【００１１】
【図１】本発明の吸収性物品における好ましい一実施形態としての大人用展開型使い捨ておむつを示した図面であり、（ａ）は展開型使い捨ておむつを展開した状態の肌面側（表面シート側）から模式的に示した展開平面図であり、（ｂ）は股下部のＸ方向の縦断面図である。
【図２】第１吸収体３１および第２吸収体３２の外形例を模式的に示した平面図であり、（ａ）はいわゆる砂時計形状の一例であり、（ｂ）は（ａ）図に示した形状にて角部を切り欠いた形状例であり、（ｃ）は矩形例を示した一例である。
【図３】中間シートの包含形態について一例について模式的に示した縦断面図であり、（ａ）は、第１吸収体を第１中間シートと第２中間シートで包含し、第２吸収体を第１中間シートと第３中間シートで包含した一例を示した縦断面図であり、（ｂ）は、第１吸収体を第１中間シートと第２中間シートで包含し、第２吸収体を第３中間シートで包含した一例を示した縦断面図である。
【図４】第１吸収体に配された開口部の形状例を模式的に示した平面図であり、（ａ）は長円形の開口部の一例を示した平面図であり、（ｂ）は縦長八角形の開口部の一例を示した平面図であり、（ｃ）は台形の開口部の一例を示した平面図であり、（ｄ）は変形八角形の開口部の一例を示した平面図である。
【発明を実施するための最良の形態】
【００１２】
本発明に係る吸収性物品の好ましい実施形態について、図面を参照して説明する。まず図１を参照して本実施形態の使い捨ておむつ１０の概要を説明する。なお、図１では、大人用の展開型使い捨ておむつを示した。
図１に示すように、本実施形態の使い捨ておむつ１０は、肌当接面側に配された液透過性の表面シート１、非肌当接面側に配された透湿性かつ液難透過性の裏面シート２、および両シートの間に挟まれていて液を吸収保持する吸収体３を備える。
表面シート１および裏面シート２は縦長の形状を有する。吸収体３は、これらよりも長手方向（Ｙ方向）および幅方向（Ｘ方向）の長さがやや短く、股下部において、物品幅方向中央に位置する中央部吸収体３ｃ、該中央部吸収体３ｃの両側に配した一対の側部吸収体３ａ、３ｂを有している。吸収体３は、その長手方向を表面シート１および裏面シート２の長手方向に一致させ略中央に配されている。これら表面シート１、裏面シート２および吸収体３は、例えばホットメルト接着剤等によって接合されている。
【００１３】
上記側部吸収体３ａ、３ｂのそれぞれと中央部吸収体３ｃとの間には、離間部４（４ａ、４ｂ）を有する。上記１対の離間部４ａ、４ｂの物品長手方向（Ｙ方向）両端部に吸収体３の一部が存している。したがって、離間部４は物品長手方向両端部に到達していない。
上記側部吸収体３ａ、３ｂと中央部吸収体３ｃとの間に中間シート５が介在されている。したがって、側部吸収体３ａ、３ｂと中央部吸収体３ｃとは中間シート５によって分けられている。物品長手方向中央部付近における物品幅方向（Ｘ方向）においては、平面視した状態で、側部吸収体３ａ、３ｂと中央部吸収体３ｃとは接触しているか離間している。３次元的にみると、側部吸収体３ａ、３ｂと中央部吸収体３ｃとの間に中間シート５が介在されているため、側部吸収体３ａ、３ｂと中央部吸収体３ｃとは少なくとも中間シート５の厚み分は離間している。
このように、３次元的にみると側部吸収体３ａ、３ｂと中央部吸収体３ｃとは離間していて、かつ平面視した状態で側部吸収体３ａ、３ｂと中央部吸収体３ｃとは接触しているか離間していることから、側部吸収体３ａ、３ｂが変形しやすくなるので、大腿部付け根周りや股下部においてフィット性に優れるという効果を奏する。
【００１４】
上記側部吸収体３ａ、３ｂのＹ方向の長さＬｓは、側部に離間部４を含む貫通する開口部３３を有する部分の長さと定義し、中央部吸収体３ｃのＹ方向の長さＬｃは、側部に離間部４を有する部分の長さと定義する。したがって、長さＬｃは離間部４の長さＬｄと同等になる。
【００１５】
平面視した側部吸収体３ａ、３ｂと中央部吸収体３ｃとのそれぞれの離間距離Ｄ（Ｄａ、Ｄｂ）は、０ｍｍ(平面視の状態で接触)以上、好ましくは３ｍｍ以上、さらに好ましくは５ｍｍ以上であり、４０ｍｍ以下、好ましくは３０ｍｍ以下、さらに好ましくは２５ｍｍ以下である。そして０ｍｍ(平面視の状態で接触)以上４０ｍｍ以下、好ましくは３ｍｍ以上３０ｍｍ以下、さらに好ましくは５ｍｍ以上２５ｍｍ以下である。したがって、平面視して側部吸収体３ａ、３ｂと中央部吸収体３ｃが重なることはない。また、平面視して側部吸収体３ａ、３ｂと中央部吸収体３ｃとが重なっている状態では後述する本発明の効果を奏することができない。一方、離間距離Ｄが長すぎる場合には、側部吸収体３ａ、３ｂの幅が狭くなり股漏れしやすくなるという観点から好ましくない。
また離間部４の物品長手方向（Ｙ方向）の長さＬｄは、１００ｍｍ以上、好ましくは１４０ｍｍ以上、さらに好ましくは１８０ｍｍ以上であり、４００ｍｍ以下、好ましくは３８０ｍｍ以下、さらに好ましくは３６０ｍｍ以下である。そして１００ｍｍ以上４００ｍｍ以下、好ましくは１４０ｍｍ以上３８０ｍｍ以下、さらに好ましくは１８０ｍｍ以上３６０ｍｍ以下である。離間部４の長さＬｄが長すぎる場合には、排泄された尿が離間部４の前後方向に流れ出し前漏れや背漏れがし易くなり、漏れを防止するという観点から好ましくなく、短すぎる場合には、フィット性が低下してしまうという観点から好ましくない。
【００１６】
上記側部吸収体３ａ、３ｂの幅Ｗｓ（Ｘ方向の幅）は、３０ｍｍ以上、好ましくは４０ｍｍ以上、さらに好ましくは５０ｍｍ以上であり、１４０ｍｍ以下、好ましくは１２０ｍｍ以下、さらに好ましくは１００ｍｍ以下である。そして３０ｍｍ以上１４０ｍｍ以下、好ましくは４０ｍｍ以上１２０ｍｍ以下、さらに好ましくは５０ｍｍ以上１００ｍｍ以下である。側部吸収体３ａ、３ｂの幅Ｗｓが長すぎる場合には、フィット性や追従性が低下するという観点から好ましくなく、短すぎる場合には、股漏れを防止するという観点から好ましくない。
また、側部吸収体３ａ、３ｂの長さＬｓ（Ｙ方向の長さ）は、上記離間部４の長さＬｄ以上であり、２００ｍｍ以上、好ましくは２４０ｍｍ以上、さらに好ましくは２８０ｍｍ以上であり、６００ｍｍ以下、好ましくは５７０ｍｍ以下、さらに好ましくは５４０ｍｍ以下である。そして２００ｍｍ以上６００ｍｍ以下、好ましくは２４０ｍｍ以上５７０ｍｍ以下、さらに好ましくは２８０ｍｍ以上５４０ｍｍ以下である。側部吸収体３ａ、３ｂの長さＬｓが長すぎる場合には、物品長手方向の端部側において、第１吸収体と第２吸収体の重なりが短くなり、吸収性能低下により前漏れや背中漏れの原因となったり、胴回りのフィット性も低下しやすいという観点から好ましくなく、短すぎる場合には、大腿部付け根周りなし股下部のフィット性や追従性が低下するという観点から好ましくない。
【００１７】
上記中央部吸収体３ｃの幅Ｗｃ（Ｘ方向の幅）は、６０ｍｍ以上、好ましくは７５ｍｍ以上、さらに好ましくは９０ｍｍ以上であり、２００ｍｍ以下、好ましくは１８０ｍｍ以下、さらに好ましくは１６０ｍｍ以下である。そして６０ｍｍ以上２００ｍｍ以下、好ましくは７５ｍｍ以上１８０ｍｍ以下、さらに好ましくは９０ｍｍ以上１６０ｍｍ以下である。中央部吸収体３ｃの幅Ｗｃが長すぎる場合には平面視した離間部４がなくなり、側部吸収体３ｂ、３ｃと重なるために可撓性が低下するという観点から好ましくなく、短すぎる場合には離間部４の幅が広くなりすぎて股漏れや背漏れしやすいという観点から好ましくない。
また、中央部吸収体３ｃの長さＬｃ（Ｙ方向の長さ）は、上記離間部４の長さＬｄと同等であり、１５０ｍｍ以上、好ましくは１８０ｍｍ以上、さらに好ましくは２００ｍｍ以上であり、好ましくは４００ｍｍ以下、さらに好ましくは３６０ｍｍ以下である。そして１５０ｍｍ以上４００ｍｍ以下、好ましくは１８０ｍｍ以上４００ｍｍ以下、さらに好ましくは２００ｍｍ以上３６０ｍｍ以下である。中央部吸収体３ｃの長さＬｃが長すぎる場合には、物品長手方向の端部側において、第１吸収体と第２吸収体の重なりが短くなり、吸収性能低下により前漏れや背中漏れの原因となるという観点から好ましくなく、短すぎる場合には可撓性が低下するという観点から好ましくない。離間部４は、少なくとも股下部Ｃに配されており、背側部Ｒおよび腹側部Ｆ方向にはみ出して配されていてもよい。
【００１８】
上記側部吸収体３ａ、３ｂは第１吸収体３１によって構成され、上記中央部吸収体３ｃは第２吸収体３２によって構成されている。すなわち、上記側部吸収体３ａ、３ｂは第１吸収体３１に含まれ、中央部吸収体３ｃは、第２吸収体３２に含まれる。第１吸収体３１は、中間シート５を介して第２吸収体３２より上層に配される。
第１吸収体３１は、例えばその外側縁の形状が股下部分で内側に湾曲しており、腹側部Ｆや背側部Ｒの部位では外側に広がっていて、その中央部に貫通する開口部３３を有する。この開口部３３の幅方向側部の第１吸収体３１が上記側部吸収体３ａ、３ｂとなる。
第２吸収体３２は、長手方向両端部側が上記開口部３３の幅より長く、長手方向中央部が上記開口部３３の幅より短くなっている。例えば、第２吸収体３２は、股下部で内側に湾曲した形状であってもよい。これにより、第１吸収体３１と第２吸収体３２との間に平面視した隙間ができ、その隙間が上記離間部４ａ、４ｂとなる。したがって、離間部４の長さは、開口部３３の長手方向の長さ以下となる。通常、長手方向端部側の開口部３３の側部で第１吸収体３１に第２吸収体３２が重なるように配されているので、中央部吸収体３ｃの長手方向の長さＬｃは上記したように、離間部４の長さＬｄと同等になる。また、開口部３３の長手方向両端部では、第１吸収体３１と第２吸収体３２とが重なっている。
【００１９】
上記第１吸収体３１、第２吸収体３２は種々の形状をとることができる。
例えば、図２（ａ）に示すように、第１吸収体３１は中央部がくびれた、いわゆる砂時計形の形状を有し、矩形の開口部３３を有する。また第２吸収体３２は長手方向中央部でくびれた、いわゆる砂時計形の形状を有し、長手方向の開口部３３の両端部側で第１吸収体３１と第２吸収体３２とが重なっており、長手方向中央部で平面視した開口部３３の幅より第２吸収体３２の幅が狭くなっている。また図２（ｂ）に示すように、前記図２（ａ）に示した構成において第１吸収体３１の形状が角部を切り欠いた形状であってもよい。さらに上記図２（ｃ）に示すように、前記図２（ａ）に示した構成において第１吸収体３１および第２吸収体３２が矩形状であってもよい。この場合、開口部３３の幅よりも第２吸収体３２の幅が長手方向全体にわたって狭くなるので、長手方向における側部吸収体３ａ、３ｂの長さＬｓと、中央部吸収体３ｃの長さＬｃと、離間部４の長さＬｄは同等になる。
【００２０】
次に、上記第１吸収体３１について前記図１を参照して詳述する。
第１吸収体３１は貫通する開口部（中抜き部）３３を有している。開口部３３の物品幅方向（Ｘ方向）の幅Ｗｈは第２吸収体３２のＸ方向の幅よりも広いことが好ましく、例えば、股下部における開口部３３の幅Ｗｈは第２吸収体３２の股下部における幅Ｗｃより少なくとも０ｍｍ以上広く、好ましくは６ｍｍ以上広く、さらに好ましくは１０ｍｍ以上広く、幅Ｗｈと幅Ｗｃの差は８０ｍｍ以下、好ましくは６０ｍｍ以下、さらに好ましくは５０ｍｍ以下である。そして０ｍｍ以上８０ｍｍ以下広く、好ましくは６ｍｍ以上６０ｍｍ以下広く、さらに好ましくは１０ｍｍ以上５０ｍｍ以下広い。上記０ｍｍの場合は、平面視した状態で第２吸収体３２の物品長手方向（Ｙ方向）に配された側部が開口部３３の物品長手方向に配された側部に接触した状態になる。なお、３次元的には、股下部において、第１吸収体３１と第２吸収体３２との間に中間シート５が配されているので、第１吸収体３１と第２吸収体３２とは離間されている。
したがって、両側にある離間部４の一方の幅は、上記Ｗｈ−Ｗｃの値の１／２になるので、前述したようになる。
【００２１】
上記第１吸収体３１の物品幅方向（Ｘ方向）の幅Ｗａｂは、股下からの漏れを防止し、大腿部でのフィット性を維持する観点から、２４０ｍｍ以上、好ましくは２６０ｍｍ以上、さらに好ましくは２８０ｍｍ以上であり、大人用展開型紙おむつのヒップサイズの大きさの観点から、好ましくは４００ｍｍ以下、さらに好ましくは３８０ｍｍ以下である。そして２４０ｍｍ以上４００ｍｍ以下、好ましくは２６０ｍｍ以上４００ｍｍ以下、さらに好ましくは２８０ｍｍ以上３８０ｍｍ以下である。
物品長手方向（Ｙ方向）の長さＬａｂは、対象となる被介護者の股下の長さと漏れ防止する観点から、６００ｍ以上、好ましくは６５０ｍｍ以上、さらに好ましくは６７０ｍ以上であり、対象となる被介護者の股上長さとフィット性の観点から、好ましくは９００ｍｍ以下、さらに好ましくは８６０ｍｍ以下である。そして６００ｍ以上９００ｍｍ以下、好ましくは６５０ｍｍ以上９００ｍｍ以下、さらに好ましくは６７０ｍｍ以上８６０ｍｍ以下である。
【００２２】
開口部３３のＸ方向の幅Ｗｈは、股下部のフィット性を良くする観点から、８０ｍｍ以上、好ましくは１００ｍｍ以上、さらに好ましくは１２０ｍｍ以上であり、股下からの漏れを防止する観点から、２４０ｍｍ以下、好ましくは２２０ｍｍ以下である。そして８０ｍｍ以上２４０ｍｍ以下、好ましくは１００ｍｍ以上２２０ｍｍ以下、さらに好ましくは１２０ｍｍ以上２２０ｍｍ以下である。
開口部３３のＹ方向の長さＬｈは、股下部のフィット性や可撓性を向上する観点から、２００ｍｍ以上、好ましくは２４０ｍｍ以上、さらに好ましくは２８０ｍｍ以上であり、臀部からの漏れを防止する観点から、６００ｍｍ以下、好ましくは５８０ｍ以下、さらに好ましくは５６０ｍｍ以下である。そして２００ｍｍ以上６００ｍｍ以下、好ましくは２４０ｍｍ以上５８０ｍ以下、さらに好ましくは２８０ｍｍ以上５６０ｍｍ以下である。
【００２３】
開口部３３の両側に配された第１吸収体３１の片側のＸ方向の幅は、上述の側部吸収体３ａ、３ｂ幅Ｗｓ（レッグ吸収体幅）と同じになる。また開口部３３の両側に配された第１吸収体３１の片側のＹ方向の長さは、上述の側部吸収体３ａ、３ｂ長さＬｓ（レッグ吸収体長さ）と同じになる。
上記各数値は、装着者の体型の大きさによって適宜選択される。例えばおむつのサイズが、Ｓサイズ、Ｍサイズ、Ｌサイズ、ＬＬサイズ等により適宜選択される。
【００２４】
上記第１吸収体３１は、パルプからなる。または第１吸収体３１はパルプと吸水ポリマーからなることが好ましい。パルプの坪量は、吸収体のヨレを防止する観点から、１００ｇ／ｍ２以上、好ましくは１２０ｇ／ｍ２以上であり、大腿部付け根周りのフィット性を良くする観点から、４００ｇ／ｍ２以下、好ましくは３６０ｇ／ｍ２以下、さらに好ましくは３４０ｇ／ｍ２以下である。そして１００ｇ／ｍ２以上４００ｇ／ｍ２以下、好ましくは１２０ｇ／ｍ２以上３６０ｇ／ｍ２以下、さらに好ましくは１２０ｇ／ｍ２以上３４０ｇ／ｍ２以下である。パルプの坪量が少なすぎると吸収体の剛性が低くなりよれやすくなる。一方パルプの坪量が多すぎると吸収体の剛性が多角なり過ぎ、フィット性が低下することになる。
吸水ポリマーの坪量は、吸収量を維持し漏れを防止する観点から、３０ｇ／ｍ２以上、好ましくは４０ｇ／ｍ２以上、さらに好ましくは４０ｇ／ｍ２以上であり、膨潤した吸収体のフィット性を良くする観点から、３００ｇ／ｍ２以下、好ましくは２５０ｇ／ｍ２以下、さらに好ましくは２２５ｇ／ｍ２以下である。そして３０ｇ／ｍ２以上３００ｇ／ｍ２以下、好ましくは４０ｇ／ｍ２以上２５０ｇ／ｍ２以下、さらに好ましくは４０ｇ／ｍ２以上２２５ｇ／ｍ２以下である。吸収ポリマーの坪量が少なすぎると吸収性能が低下し、多すぎると膨潤した時の吸収体の剛性が高くなり過ぎ、フィット性が低下することになる。
【００２５】
第１吸収体３１の側部吸収体３ａ、３ｂの坪量は、上記第１吸収体３１の坪量の範囲内で、かつ第１吸収体３１の後端側中央部の吸収体坪量よりも、大腿部付け根周りの漏れを防止する観点から、１．１倍以上、好ましくは１．２倍以上、さらに好ましくは１．２５倍以上多いことが好ましい。このような吸収体坪量を有することで、股下部分の漏れを防ぎ、溝から広がってきた液を背側の吸収体に引き込み吸収させる点から好ましい。また股下側縁部に位置する側部吸収体３ｂ、３ｃが排泄液を吸収して膨潤し、開口部３３で構成される溝が深くなり、外漏れを防止する。
【００２６】
また、第１吸収体３１の外形の面積Ｓａに対する開口部３３の面積Ｓｈは、面積比Ｓｈ／Ｓａは、１５％以上、好ましくは１８％以上、さらに好ましくは２０％以上であり、好ましくは５０％以下である。そして１５％以上５０％以下、好ましくは１８％以上５０％以下、さらに好ましくは２０％以上５０％以下である。面積比が小さ過ぎると可撓性の低下のよりフィット性が低下するという観点から好ましくなく、大き過ぎると吸収体のヨレを防止するという観点から好ましくない。
【００２７】
上記第１吸収体３１は、第２吸収体３２と重なる部位では、上層にあることが好ましい。第１吸収体３１の開口部３３が、第２吸収体３２上に位置するため排泄された尿を吸収するための防漏壁となり、背中側や腹側からの伝い漏れを防止することができる。
【００２８】
上記第２吸収体３２は、パルプからなる。または第２吸収体３２はパルプと吸水ポリマーからなることが好ましい。パルプの坪量は、吸収体のヨレを防止する観点から、１００ｇ／ｍ２以上、好ましくは１２０ｇ／ｍ２以上であり、大腿部付け根周りのフィット性を良くする観点から、４００ｇ／ｍ２以下、好ましくは３６０ｇ／ｍ２以下、さらに好ましくは３４０ｇ／ｍ２以下である。そして１００ｇ／ｍ２以上４００ｇ／ｍ２以下、好ましくは１２０ｇ／ｍ２以上３６０ｇ／ｍ２以下、さらに好ましくは１２０ｇ／ｍ２以上３４０ｇ／ｍ２以下である。パルプの坪量が少なすぎると吸収体の剛性が低くなりよれやすくなる。一方パルプの坪量が多すぎると吸収体の剛性が多角なり過ぎ、フィット性が低下することになる。
吸水ポリマーの坪量は、吸収量を維持し漏れを防止する観点から、３０ｇ／ｍ２以上、好ましくは４０ｇ／ｍ２以上、さらに好ましくは４０ｇ／ｍ２以上であり、膨潤した時の吸収体のフィット性を良くする観点から、３００ｇ／ｍ２以下、好ましくは２５０ｇ／ｍ２以下、さらに好ましくは２２５ｇ／ｍ２以下である。そして３０ｇ／ｍ２以上３００ｇ／ｍ２以下、好ましくは４０ｇ／ｍ２以上２５０ｇ／ｍ２以下、さらに好ましくは４０ｇ／ｍ２以上２２５ｇ／ｍ２以下である。吸収ポリマーの坪量が少なすぎると吸収性能が低下し、多すぎると膨潤した時の吸収体の剛性が低下することになる。
【００２９】
第２吸収体３２は、少なくとも離間部４より物品長手方向端部側において、すなわち、腹側部Ｆまたは背側部Ｒで第１吸収体３１と厚み方向で重なっている。例えば、開口部３３の長手方向両端部側で重なっている。その重なり部の長手方向における長さは、伝い漏れ防止の観点から、５０ｍｍ以上、好ましくは７０ｍｍ以上、さらに好ましくは８０ｍｍ以上である。
このように、第１吸収体３１と第２吸収体３２とが重なることによって厚みがでるため、臀部にフィットしやすくなって、伝い漏れが防止される。また２層になることで剛性が高まるとともに、吸収性能が高まる。
【００３０】
第２吸収体３２には、図示はしないが、股下部の幅方向中央部にスリットまたは幅方向中央より左右の部位に２本スリットが配されていてもよい。スリットの幅は、装着時に幅方向に折れ易くする観点から、３ｍｍ以上が好ましく、また、２５ｍｍ以下が好ましい。スリットの長さは、吸収体の前後方法に液を拡散させるため、好ましくは８０ｍｍ以上、さらに好ましくは１２０ｍｍ以上であり、好ましくは４００ｍｍ以下である。そして、好ましくは８０ｍｍ以上４００ｍｍ以下であり、さらに好ましくは１２０ｍｍ以上４００ｍｍ以下である。
【００３１】
第２吸収体３２の股下部中央部には長手方向に伸張されて接着された弾性部材が配されていても良い。この弾性部材によって股下部のフィット性がさらに改善される。
【００３２】
上記吸収体３は、エンボス処理が施されていてもよい。
また上記吸収体３の厚みは、中央部より側部が厚い方が大退部の周り付近の隙間を減らすことができるため漏れ防止の観点から好ましい。
【００３３】
次に、中間シートの包含形態について一例について図３を参照して以下に説明する。
前記図１に示した中間シート５の配置が基本形態となる。
図３（ａ）に示すように、吸収体３は側部吸収体３ａ、３ｂを含む第１吸収体３１と、中央部吸収体３ｃを含む第２吸収体３２とからなり、側部吸収体３ａ、３ｂと中央部吸収体３ｃとの間に離間部４ａ、４ｂを有する。このように配された第１吸収体３１と第２吸収体３２との間に中間シート５（第１中間シート５ａ）を配し、第１中間シート５ａと表面シート１との間に第２中間シート５ｂを配し、第２吸収体３２と裏面シート３との間に第３中間シート５ｃを配している。この第１中間シート５ａと第２中間シート５ｂは、開口部３３内で重なった状態にあり、また側部吸収体３ａ、３ｂの幅方向外側で重なった状態になっている。
第１中間シート５ａと第２中間シート５ｂは、開口部３３で少なくとも部分的に接着剤もしくは熱接着で接合されている。また、第１中間シート５ａの裏面シート側面と第２吸収体３２の肌側面は、開口部３３の離間部４ａ、４ｂ付近で少なくとも部分的に接合されている。
【００３４】
開口部３３において、第１中間シート５ａと第２中間シート５ｂ及び第２吸収体３２の重なった部接合することで、側部吸収体３ａ、３ｂと中央部吸収体３ｃを離間することができる。
【００３５】
また図３（ｂ）に示すように、吸収体３は側部吸収体３ａ、３ｂを含む第１吸収体３１と、中央部吸収体３ｃを含む第２吸収体３２とからなり、側部吸収体３ａ、３ｂと中央部吸収体３ｃとの間に離間部４ａ、４ｂを有する。このように配された第１吸収体３１と第２吸収体３２との間に中間シート５（第１中間シート５ａ）を配し、第１中間シート５ａと表面シート１との間に第２中間シート５ｂを配し、第２吸収体３２を包むように第３中間シート５ｃを配している。この第１中間シート５ａと第２中間シート５ｂは、開口部３３内で重なった状態にあり、また側部吸収体３ａ、３ｂの幅方向外側で重なった状態になっている。
第１中間シート５ａと第２中間シート５ｂは、開口部３３で少なくとも部分的に接着剤もしくは熱接着で接合されている。
【００３６】
第２吸収体３２を包むように第３中間シート５ｃを配することで、装着中の尿の吸収によって起こりやすい第２吸収体３２の崩れやヨレを抑え、離間部４ａ、４ｂを保つことができる。
【００３７】
上記各中間シート５、吸収性ポリマーは、衛生面を考慮すると抗菌消臭処理がなされていることが好ましい。抗菌処理の抗菌剤としては、銀系、銅系若しくは亜鉛系の物質又はそれらの塩類等の抗菌剤、または４級アンモニウム塩等が挙げられる。消臭剤としては、活性炭、ゼオライト、シリカゲル、ポリガラクトサミン、カテキン、キトサン、キチン、ポリアニリン等が挙げられる。
また、第１吸収体３１と第２吸収体３２の間に配した中間シート５を色付き中間シートとしてもよい。色付き中間シートは台紙または不織布等からなる。このように色付きシートとすることにより、尿取りパッド（図示せず）を装着する場合、中間シートの色が視認されることによって装着位置の目印となる。
【００３８】
次に、第１吸収体３１の開口部３３の形状について図４を参照して以下に説明する。
第１吸収体３１の開口部３３の形状は、おむつ１０の後側において、お尻を包み込むため幅狭くなっていることが好ましい。このような形態とすることで、特に女性に多い臀部の溝からの伝い漏れを防止する効果が奏される。例えば、図４（ａ）に示すように、第１吸収体３１の開口部３３の形状は長円形が好ましい。また図４（ｂ）に示すように、第１吸収体３１の開口部３３の形状は縦長の八角形が好ましい。ここでは、二つの形状を挙げたが、後側において開口部３３の形状が幅狭くなっているならば、開口部３３の形状は三角形、台形、５角形以上の多角形であってもよい。また、開口部３３の各辺は、図示例では直線であったが、曲線であってもよい。
一方、おむつ１０の前側において、開口部３３は少し広がった形状が好ましい。このような形状とすることで、男性用の場合、前側Ｖゾーンの剛性が低下し、内側に男性性器を包み込みやすくなるので、横漏れを防止しやすくなる。例えば、図４（ｃ）に示すように、第１吸収体３１の開口部３３の形状は、前側が上底となり後側が下底となって、上底が下底より短い台形が好ましい。また図４（ｄ）に示すように、第１吸収体３１の開口部３３の形状は、縦長の八角形であるが、この八角形のうち後側の２つの角度が鋭角になるように広がった変形八角形が好ましい。ここでは、二つの形状を挙げたが、前側において開口部３３の形状が幅広くなっているならば、開口部３３の形状は三角形や５角形以上の多角形や変形多角形であってもよい。また、開口部３３の各辺は、図示例では直線であったが、曲線であってもよい。
【００３９】
また前記図１に示すように、表面シート１の肌面側には、その長手方向（Ｙ方向）両側部から幅方向（Ｘ方向）外方に向けて一対のサイドシート７（７ａ、７ｂ）が配されている。
裏面シート２の非肌当接面側には、その全面を覆うように不織布からなる外装シート８が配されている。この外装シート８によって、おむつ１０の外側は柔らかな肌触り及び風合いのあるものとなる。
【００４０】
サイドシート７および外装シート８の長手方向（Ｙ方向）長さは、それぞれ表面シート１および裏面シート２の長手方向（Ｙ方向）長さに略一致している。さらにサイドシート７および外装シート８は、腹側部Ｆおよび背側部Ｒにおいて表面シート１および裏面シート２よりも幅方向（Ｘ方向）外方に張り出しホットメルト接着剤等によって接合されている。これにより使い捨ておむつ１０の外形が形成される。おむつ１０は、その展開状態の平面視において、装着時に装着者の腹側に配される腹側部Ｆ、装着者の股下部分に配される股下部Ｃ、装着者の背側に配される背側部Ｒとからなり、その全体として股下部Ｃが幅方向内方に括れた形状、いわゆる一般的な砂時計形の形状を有している。
【００４１】
各サイドシート７の幅方向中央寄りの内方端部には弾性部材７１が配された立体ギャザーで構成される防漏カフ７２が配されている。防漏カフ７２には、公知のものを用いることができ、いわゆる、ダブルギャザー、Ｔ字ギャザー、折り返しギャザー、等を採用することができる。そしておむつ１０の装着時に弾性部材７１が収縮し、股下部Ｃに防漏カフ７２が形成される。
【００４２】
レッグギャザーとなる上記側部吸収体３ａ、３ｂの外側におけるサイドシート７と裏面シート２との間に位置する部位には、左右の大腿部付け根周りを伸縮可能にする弾性部材７３がそれぞれ伸張状態で接着または固定されている。このように各サイドシート７の幅方向外方にはそれぞれ弾性部材７３が配されることでレッグギャザーが形成される。この弾性部材７３は、上記弾性部材７１と同種のものを用いることができる。
【００４３】
さらに、レッグ吸収体となる上記側部吸収体３ａ、３ｂのそれぞれの裏面シート２側に位置する部位には、それぞれ複数本の吸収体ギャザー弾性部材７５（図１（２）参照）が伸張状態で接着または固定されている。この弾性部材としては、糸ゴム、平ゴム、フィルム状弾性体などが好ましい。糸ゴムは、片側２本ないし６本で左右均等に配されていることが好ましい。繊度は、伸縮性と伸張応力を保つ観点から、３２０ｄｔｅｘ以上、好ましくは４８０ｄｔｅｘ以上、さらに好ましくは６２０ｄｔｅｘ以上であり、伸張応力が高くなり過ぎないで優しく伸縮しやすくする観点から、１２４０ｄｔｅｘ以下、好ましくは１０００ｄｔｅｘ以下、さらに好ましくは９４０ｄｔｅｘ以下である。そして３２０ｄｔｅｘ以上１２４０ｄｔｅｘ以下、好ましくは４８０ｄｔｅｘ以上１０００ｄｔｅｘ以下、さらに好ましくは６２０ｄｔｅｘ以上９４０ｄｔｅｘ以下である。吸収体ギャザー弾性部材７５の接着剤には、通常のホットメルト接着剤が挙げられる。そして、使い捨ておむつを展開した状態において、上記吸収体ギャザー弾性部材７５が収縮して成す吸収体ギャザーによってレッグ吸収体となる側部吸収体３ａ、３ｂが立ち上がった形態になることが好ましい。
したがって、テープ止めを展開した状態で、側部吸収体３ａ、３ｂが収縮し、吸収体３の前部および後部が立ち上がる。このため、吸収体３内側に排泄された尿、軟便等の漏れを防止することできる。また、おむつ交換時の洗浄液の漏れを防止することができる。さらに、尿取りパッドを装着する場合には、尿取りパッドのホールド性が向上する。
さらに上記吸収体ギャザー弾性部材７５によって側部吸収体３ａ、３ｂが伸縮するため脚周り、特に大腿部付け根周りのフィット性が向上し、その部分の漏れを防止することができる。
【００４４】
上記弾性部材７１、７３および７５の伸縮によっておむつ１０は、装着者の運動等による体形変化にもよく追従してフィットし、液体等の横漏れを効果的に防止し得る。
【００４５】
おむつ１０の腹側部Ｆおよび背側部Ｒには、サイドシート７と外装シート８とが積層されて幅方向外方に張り出した背側フラップ部１７および腹側フラップ部１８が配されている。背側フラップ部１７にはファスニングテープ１９が設けられている。ファスニングテープ１９は、フックテープが好ましく、粘着タイプでもよい。またはフック材と粘着テープを組み合わせた物であっても良い。このファスニングテープ１９を腹側フラップ部１８に設けたテープ貼付部２０に貼付して、おむつを装着固定することができる。テープ貼付部２０は、ループテープが好ましく、例えば通気性のある不織布タイプがムレを防止しするために好ましい。またはフィルムタイプや織物とフィルムをラミネートしたものであってもよい。
上記ファスニングテープ１９おおびテープ貼付部２０によっておむつ１０を装着固定するとき、おむつ長手方向中央を緩やかに内側に折り曲げて、吸収体３が装着者の臀部から下腹部にわたって沿うように装着する。これにより排泄物が的確に吸収体３に吸収保持される。本実施形態のおむつ１０においては、さらに機能的な構造部材やシート部材等を設けてもよい。
【００４６】
また、おむつのウエスト部には上記とは別の弾性部材やバリヤシートが配されていてもよい。
さらに、表面シート１や裏面シート２には、液の吸収量やサイズを示すデザイン印刷、位置合わせのための目印になるマーク等が配されてもよい。
【００４７】
本実施形態においては、特に断らない限り、人体に接触する側の面を肌側面ないし肌当接面あるいは表面といい、これと反対側の面を非肌面ないし非肌当接面あるいは裏面という。この２つの面において、肌側面に近い方ないしその延長方向を肌面側、肌当接面側または表面側といい、非肌面に近い方ないしその延長方向を非肌面側、非肌当接面側または裏面側という。装着時に人体の前側に位置する方向を前方といいその端部を前端部とし、後側に位置する方向を後方といいその端部を後端部として説明する。吸収性物品の表面または裏面の法線方向を厚み方向といいその量を厚さという。さらに、特に断らない限り、吸収性物品の平面視において腹側部Ｆから股下部Ｃを亘り背側部Ｒに至る方向を縦方向または長手方向（Ｙ方向）といい、この縦（長手）方向と直交する方向を幅方向（Ｘ方向）という。なお、前記縦方向は典型的には装着状態において人体の前後方向と一致する。
【００４８】
以下に本実施形態のおむつ１０を構成する部材の好ましい構成素材について説明する。
【００４９】
表面シート１、裏面シート２およびサイドシート７の形成材料としては、通常吸収性物品に使用されているものを用いることができる。
表面シート１としては、親水性不織布が好ましく、エアスルー不織布、ポイントボンド不織布、スパンボンド不織布、スパンレース不織布、立体賦形不織布と呼ばれている不織布で、その繊維がポリプロピレンの単繊維や、ポリプロピレンとポリエチレンの複合繊維、ポリエチレンテレフタレートとポリエチレンの複合繊維等で親水化処理が施された繊維が好ましく、その坪量は、強度と風合いの観点から、１３ｇ／ｍ２以上、好ましくは１５ｇ／ｍ２以上、さらに好ましくは１８ｇ／ｍ２以上であり、排泄された尿の通液性向上や液残り防止の観点から、６０ｇ／ｍ２以下、好ましくは５０ｇ／ｍ２以下、さらに好ましくは４０ｇ／ｍ２以下である。そして、１３ｇ／ｍ２以上６０ｇ／ｍ２以下、好ましくは１５ｇ／ｍ２以上５０ｇ／ｍ２以下、さらに好ましくは１８ｇ／ｍ２以上４０ｇ／ｍ２以下ものが好適に使用できる。また、表面シート１の股下部分には、表面シート１の非肌面側に親水性穴開きフィルムや親水性不織布が部分的に重ねられていてもよい。
【００５０】
裏面シート２の形成材料としては、防水性があり透湿性を有していれば特に限定されないが、例えば疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン、ポリブテン等が挙げられ、これらを単独で又は混合して用いることができる。
【００５１】
吸収体３には、液保持性を有するものであれば、通常吸収性物品に用いられるものを用いることができる。例えば、繊維集合体またはこれと吸水性ポリマーとを併用させたもの等を用いることができる。繊維集合体を構成する繊維としては、パルプ繊維等の親水性天然繊維や、合成繊維（好ましくは親水化処理を施したもの）等を用いることができる。パルプ繊維としては、針葉樹クラフトパルプ、広葉樹クラフトパルプ等の木材パルプや木綿パルプ、ワラパルプ等の非木材パルプ等の天然セルロース繊維などが挙げられる。その他、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を一部に含んでもよい。坪量は特に限定されないが、上述した通りである。吸水性ポリマーとしては、この種の物品に通常使用されている各種のポリマー材料を用いることがでる。吸水性ポリマーは、自重の２０倍以上の水又は生理食塩水を吸収し保持し得る性能を有するような超吸収性高分子化合物であることが好ましい。
【００５２】
中間シート５は、親水性の部材であり、例えば、親水性のティッシュペーパー等の薄手の紙（薄葉紙）、コットンやレーヨンなどの親水性繊維からなる不織布、合成樹脂の繊維に親水化処理を施してなる不織布（スパンボンド−メルトブローン−スパンボンド（ＳＭＳ）、スパンボンド−メルトブローン−メルトブローン−スパンボンド（ＳＭＭＳ）、スパンボンド−スパンボンド−メルトブローン−スパンボンド（ＳＳＭＳ）等の複合不織布）等を用いることができる。
【００５３】
サイドシート７としては、撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）、スパンボンド−メルトブローン−メルトブローン−スパンボンド（ＳＭＭＳ）、スパンボンド−スパンボンド−メルトブローン−スパンボンド（ＳＳＭＳ）不織布等が用いられる。
また、サイドシート７に配される弾性部材７１、レッグギャザーを成す弾性部材７３、吸収体ギャザーを成す弾性部材７５およびウエストギャザーをなす弾性部材（図示せず）等には、この種の物品に用いられる通常の弾性部材を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、もしくはマルチフィラメントタイプの糸状のもの等を用いることができる。具体的に糸ゴムについては前述したような繊度のものが用いられる。
【００５４】
上記した使い捨ておむつ１０は、中央部吸収体３ｃの両側に配された側部吸収体３ａ、３ｂとのそれぞれの間に離間部４ａ、４ｂによる隙間があるので、側部吸収体３ａ、３ｂが変形しやすくなり、レッグギャザーや吸収体ギャザーによって、股下部、特に大腿部付け根周りのフィット性が向上する。また、股下部では、上記長手方向に延びる離間部４による隙間があるため、可撓性が向上する。
さらに、側部吸収体３ａ、３ｂと中央部吸収体３ｃとの間に中間シート５が配されていることによって、股下部の側部吸収体３ａ、３ｂが変形しやすくなり追従性が向上するので、吸収体のヨレを防止することができる。
上記吸収体３が体液を吸収した後、側部吸収体３ａ、３ｂと中央部吸収体３ｃの膨潤によって溝ができる。すなわち、側部吸収体３ａ、３ｂと中央部吸収体３ａが尿を吸収するとそれぞれが厚み方向に膨れる。この結果、幅方向の隙間である離間部４が谷になり、溝ができる。吸収体３に２度目の排尿があると、膨らんだ吸収体３により作られた溝によって、より液が前後方向に流れやすくなるので、股モレ防止に繋がる。
【００５５】
本発明の吸収性物品において、吸収体３の形状についても特に限定されること無く、表面がブロック形状であったり、スリットが設けられたりしていてもよい。本発明の吸収性物品は、上記実施形態における展開型使い捨ておむつに限らず、パンツ型使い捨ておむつや尿取りパッドであってもよい。
【００５６】
上述した実施形態等に関し、さらに以下の付記（吸収性物品）を開示する。
【００５７】
＜１＞
表面シートと裏面シートと両シートに挟まれた吸収体を備え、
前記吸収体は、股下部において、物品幅方向中央に位置する中央部吸収体、該中央部吸収体の両側に配した一対の側部吸収体を有し、
前記中央部吸収体と前記側部吸収体との間に離間部を有し、
前記一対の離間部の物品長手方向両端部に前記吸収体の一部が配され、
前記中央部吸収体と前記側部吸収体との間に中間シートが介在されている吸収性物品。
＜２＞
平面視した状態における少なくとも股下部において前記側部吸収体と前記中央部吸収体とは離間している離間部を有する前記＜１＞に記載の吸収性物品。
＜３＞
前記離間部の幅は、０ｍｍ(平面視の状態で接触)以上、好ましくは３ｍｍ以上、さらに好ましくは５ｍｍ以上である前記＜２＞に記載の吸収性物品。
＜４＞
前記離部の幅は、４０ｍｍ以下、好ましくは３０ｍｍ以下、さらに好ましくは２５ｍｍ以下である前記＜２＞又は＜３＞に記載の吸収性物品。
＜５＞
前記離間部の物品長手方向の長さは、１００ｍｍ以上、好ましくは１４０ｍｍ以上、さらに好ましくは１８０ｍｍ以上である前記＜２＞から＜４＞の何れか１に記載の吸収性物品。
＜６＞
前記離間部の物品長手方向の長さは、４００ｍｍ以下、好ましくは３８０ｍｍ以下、さらに好ましくは３６０ｍｍ以下である前記＜２＞から＜５＞の何れか１に記載の吸収性物品。
＜７＞
前記側部吸収体の幅は、３０ｍｍ以上、好ましくは４０ｍｍ以上、さらに好ましくは５０ｍｍ以上である前記＜１＞から＜６＞の何れか１に記載の吸収性物品。
＜８＞
前記側部吸収体の幅は、１４０ｍｍ以下、好ましくは１２０ｍｍ以下、さらに好ましくは１００ｍｍ以下である前記＜１＞から＜７＞の何れか１に記載の吸収性物品。
＜９＞
前記側部吸収体の長さは、前記離間部の長さ以上であり、２００ｍｍ以上、好ましくは２４０ｍｍ以上、さらに好ましくは２８０ｍｍ以上である前記＜１＞から＜８＞の何れか１に記載の吸収性物品。
＜１０＞
前記側部吸収体の長さは、６００ｍｍ以下、好ましくは５７０ｍｍ以下、さらに好ましくは５４０ｍｍ以下である前記＜１＞から＜９＞の何れか１に記載の吸収性物品。
＜１１＞
前記中央部吸収体の幅は、６０ｍｍ以上、好ましくは７５ｍｍ以上、さらに好ましくは９０ｍｍ以上である前記＜１＞から＜１０＞の何れか１に記載の吸収性物品。
＜１２＞
前記中央部吸収体の幅は、２００ｍｍ以下、好ましくは１８０ｍｍ以下、さらに好ましくは１６０ｍｍ以下である前記＜１＞から＜１１＞の何れか１に記載の吸収性物品。
＜１３＞
前記中央部吸収体の長さは、前記離間部の長さと同等であり、１５０ｍｍ以上、好ましくは１８０ｍｍ以上、さらに好ましくは２００ｍｍ以上である前記＜１＞から＜１２＞の何れか１に記載の吸収性物品。
＜１４＞
前記中央部吸収体の長さは、好ましくは４００ｍｍ以下、さらに好ましくは３６０ｍｍ以下である前記＜１＞から＜１３＞の何れか１に記載の吸収性物品。
＜１５＞
物品厚み方向において、前記側部吸収体と前記裏面シートとの間に複数本の吸収体ギャザー弾性部材を有する前記＜１＞から＜１４＞の何れか１に記載の吸収性物品。
＜１６＞
前記吸収体は前記側部吸収体を含む第１吸収体と前記中央部吸収体を含む第２吸収体とを有し、
前記離間部より物品長手方向の端部側において、前記第１吸収体と前記第２吸収体が厚み方向に重なっている前記＜１＞から＜１５＞の何れか１に記載の吸収性物品。
＜１７＞
前記重なっている部分の長手方向における長さは、５０ｍｍ以上、好ましくは７０ｍｍ以上、さらに好ましくは８０ｍｍ以上である前記＜１６＞に記載の吸収性物品。
＜１８＞
前記吸収体は、第１吸収体と第２吸収体とを有し、
前記第１吸収体は平面視中央部に開口部を有し、
前記開口部の物品幅方向両側が前記側部吸収体を構成し、
前記第２吸収体は前記中央部吸収体を構成している前記＜１＞から＜１７＞の何れか１に記載の吸収性物品。
＜１９＞
前記第１吸収体は、その外側縁の形状が股下部分で内側に湾曲しており、腹側部及び背側部の少なくとも一方の部位では外側に広がっている前記＜１８＞に記載の吸収性物品。
＜２０＞
前記第２吸収体は、長手方向両端部側が前記開口部の幅より長く、長手方向中央部が前記開口部の幅より短くなっている前記＜１８＞又は＜１９＞に記載の吸収性物品。
＜２１＞
前記第２吸収体は、股下部で内側に湾曲した形状である前記＜１８＞から＜２０＞の何れか１に記載の吸収性物品。
＜２２＞
前記開口部の股下部における幅は、前記第２吸収体の股下部における幅より少なくとも０ｍｍ以上広く、好ましくは６ｍｍ以上広く、さらに好ましくは１０ｍｍ以上広い前記＜１８＞から＜２１＞の何れか１に記載の吸収性物品。
＜２３＞
股下部における前記開口部３３の幅と前記第２吸収体３２の股下部における幅の差は８０ｍｍ以下、好ましくは６０ｍｍ以下、さらに好ましくは５０ｍｍ以下である前記＜１８＞から＜２２＞の何れか１に記載の吸収性物品。
＜２４＞
前記重なっている部分において、前記第１吸収体は、前記第２吸収体の上層にある前記＜１８＞から＜２３＞の何れか１に記載の吸収性物品。
＜２５＞
前記第２吸収体の腹側部又は背側部の幅は股下部の幅より広い前記＜１８＞から＜２４＞の何れか１に記載の吸収性物品。
＜２６＞
前記第２吸収体は股下部にスリットを有している前記＜１８＞から＜２５＞の何れか１に記載の吸収性物品。
＜２７＞
前記一対の側部吸収体は連続する前記中間シートにより挟持されており、物品幅方向で前記一対の側部吸収体の間に位置する前記中間シートは厚み方向に前記中央部吸収体の前記表面シート側に配される前記＜１＞から＜２６＞の何れか１に記載の吸収性物品。
＜２８＞
前記側部吸収体と前記中央部吸収体との間に前記中間シートを配し、前記中間シートと前記表面シートとの間に他の第２中間シートを配し、前記中央部吸収体と前記裏面シートとの間に他の第３中間シートを配している前記＜１＞から＜２７＞の何れか１に記載の吸収性物品。
＜２９＞
前記側部吸収体と前記中央部吸収体との間に前記中間シートを配し、前記中間シートと前記表面シートとの間に他の第２中間シートを配し、前記中央部吸収体を包むように他の第３中間シートを配している前記＜１＞から＜２７＞の何れか１に記載の吸収性物品。
＜３０＞
前記中間シートと前記他の第２中間シートは、前記開口部で少なくとも部分的に接合されている前記＜２８＞又は＜２９＞に記載の吸収性物品。
＜３１＞
前記中間シート、前記他の第２中間シート及び前記他の第３中間シートのいずれか又は複数が色彩を有している前記＜２７＞から＜３０＞の何れか１に記載の吸収性物品。
【符号の説明】
【００５８】
１  表面シート
２  裏面シート
３  吸収体
４  離間部
５  中間シート
７  サイドシート
８  外装シート
１０  使い捨ておむつ
【図１】
2015066306.tif 000003
【図２】
2015066306.tif 000004
【図３】
2015066306.tif 000005
【図４】
2015066306.tif 000006